(57)【要約】【課題】  足元をおしゃれに装飾でき、歩行時に位置ずれしないよう堅固に取り付けでき、また歩行に支障を来たしたり、靴の表面を傷付けたりすることがないようにする。【解決手段】  靴紐１を通す孔２ａを有する台座部２と、この台座部２の上面に固定している装飾部３とで形成する。台座部２の孔２ａを、左右一対状に開口を並べて形成する。本発明の場合は、孔２ａを、上下二段状に開口を並べて形成するのでも良い。また本発明は、孔２ａを、扁平状に形成するのでも良い。【選択図】      図１
2006181060.tif 000002
【特許請求の範囲】
【請求項１】
靴紐が通される孔を有する台座部と、この台座部の上面に固定されている装飾部とで形成され、上記の台座部の孔が、左右一対状に開口が並べられて形成されていることを特徴とする靴用装飾具。
【請求項２】
請求項１記載の靴用装飾具であって、孔が左右一対状に開口が並べられて形成されるのに代え、上下二段状に開口が並べられて形成されていることを特徴とする靴用装飾具。
【請求項３】
請求項１又は２記載の靴用装飾具であって、孔が扁平状に形成されていることを特徴とする靴用装飾具。
【発明の詳細な説明】
【技術分野】
【０００１】
本発明は靴用装飾具に関し、更に詳しくは靴紐に取り付けて足元のおしゃれを楽しむことができるよう形成した靴用装飾具に関するものである。
【背景技術】
【０００２】
従来この種の靴用装飾具としては、例えば管状の環体に、装飾を施したり、装飾部材を取り付けてキーホルダー状に形成しているものが知られている（例えば特許文献１参照）。
【０００３】
ところでこの種の靴用装飾具は、靴紐に通して靴の例えば甲の箇所に配置するものであるから、歩行時の振動や衝撃を受け易いものである。従ってこの種の靴用装飾具は、確実、堅固に取り付けでき、装着時に位置ずれを起こさないよう形成されているのが望ましい。
しかるに従来品は、上記の通り、管状の環体に装飾を施したり、環体に装飾部材を取り付けてキーホルダー状に形成しているものであったから、従来品によると、歩行時の振動や衝撃で取り付け位置がずれ易く、また歩行時に装飾部材が揺れ動いて靴の表面にぶつかり、歩行の妨げになったり、靴の表面を傷付ける、という問題点があった。
【特許文献１】実用新案登録第３０９４４９４号公報
【発明の開示】
【発明が解決しようとする課題】
【０００４】
本発明は、このような従来品の問題点に鑑み、提案されたものである。
従って本発明の解決しようとする技術的課題は、足元をおしゃれに装飾でき、歩行時に位置ずれしないよう堅固に取り付けでき、また歩行に支障を来たしたり、靴の表面を傷付けたりすることがないよう形成した靴用装飾具を提供することにある。
【課題を解決するための手段】
【０００５】
本発明は、上記の課題を解決するため、次のような技術的手段を採る。
即ち本発明は、図１等に示されるように、靴紐１が通される孔２ａを有する台座部２と、この台座部２の上面に固定されている装飾部３とで形成され、上記の台座部２の孔２ａが、左右一対状に開口が並べられて形成されていることを特徴とする（請求項１）。
【０００６】
本発明の場合、台座部２は、具体的には１８金やプラチナ等の貴金属、表面が鍍金された金属、或いはプラスチック等で形成される。孔２ａは、同じ大きさ、同じ形状に形成されるのが好ましいが、例えば一方を丸孔、他方を角孔に形成するなど、装飾部３と相俟ってデザイン性が向上するよう形成されているのでも良い。また装飾部３は、ダイヤモンドや真珠等の宝石類を備えて形成されたり、貴金属等を例えば蝶やトンボ、或いは木の葉等の形態にデザインすることで実現される。装飾部３の形態は、自由である。
【０００７】
而して本発明は、孔２ａが左右一対状に開口が並べられて形成されるのに代え、図６に示されるように、上下二段状に開口が並べられて形成されているのでも良い（請求項２）。
この場合は、図７に示されるように、靴紐１を交差状に編んだとき、靴紐１を、上下の孔２ａに整然と通し易くなるからである。また請求項１に係る本発明品と同様、台座部２を安定的に押さえて位置ずれを防止できるからである。
【０００８】
また本発明の場合は、孔２ａが、扁平状に形成されているのでも良い（請求項３）。
なぜならこの場合は、靴紐１が、通常、平紐の、スニーカー等の運動靴のとき、靴紐１が孔２ａに面接触してフィットし易くなり、台座部２を確実且つ堅固に固定できるからである。
【発明の効果】
【０００９】
本発明は、このように靴紐が通される孔を有する台座部と、この台座部の上面に固定されている装飾部とで形成され、上記の台座部の孔が左右一対状に開口が並べられて形成されているものである。
従って本発明を使用すれば、足元をおしゃれに装飾でき、取り付け状態を堅固且つ確実にでき、歩行時の位置ずれを防止できる。またこれによれば、歩行に支障を来たしたり、靴の表面を傷付けたりすることがない。
【発明を実施するための最良の形態】
【００１０】
以下、本発明を実施するための最良の形態を説明する。
図１等において、１は靴紐であり、２はこの靴紐１が通される孔２ａを有する台座部である。この台座部２は、この実施形態では表面が鍍金された金属製であり、孔２ａは左右一対状に開口が並べられて、同じ大きさの円環状に形成されている。台座部２の底面は、靴紐１と係合し易くなるよう、孔２ａと孔２ａの間の位置２ｂが凹まれ、座りが良い状態に形成されている。
【００１１】
３は、台座部２の上面の、例えば中央位置に固定されている装飾部である。この装飾部３は、この実施形態では椀状の基部３ａと、この基部３ａに内包状に固定されているダイヤモンド等の宝石３ｂとで形成されている。基部３ａは、この実施形態では王冠状に上部が等間隔に切り欠かれて上端に玉状の飾りを有して形成され、底部の外面と台座部２とがロウ付けされている。なお４は、スニーカー等の靴である。
【００１２】
本発明の靴用装飾具は、図１に示されるように、靴紐１を孔２ａに通し、靴４に取り付けて使用する。この場合本発明は、孔２ａが左右一対状に開口が並べられて形成されているから、使用者は靴紐１を交差状に、或いは平行に編むとき、各孔２ａに靴紐１を順に通して本発明品を靴４に取り付ける。
【００１３】
以上の処において、本発明は、上記の孔２ａが、図４に示されるように、扁平状に形成されているのでも良い。この場合は、靴紐１が平紐のときや、また図５に示されるように、靴紐１を平行状に編むとき、孔２ａに靴紐１が面接触してフィットし易くなる。従ってこれによれば、台座部２を安定的に、確実且つ堅固に、靴４に取り付けることができる。
【００１４】
また上例では、孔２ａが左右一対状に開口が並べられて形成されているが、本発明はこれに限定されるものではない。即ち本発明は、図６に示されるように、孔２ａが上下二段状に開口が並べられて形成されているのでも良い。同図において、５は、楕円枠の台座部２の真中に、横に渡された仕切りである。孔２ａは、この仕切り５によって上下一対状に形成されるものである。
【００１５】
また本発明の場合、装飾部３は、図６等に示されるように、基部３ａを１２０度ごとあけて３個配置し、この各基部３ａに宝石３ｂを設けることにより、３個の宝石３ｂを備えて形成されるのでも良く、装飾部３の形態は任意である。
【図面の簡単な説明】
【００１６】
【図１】本発明の靴用装飾具の好適な一実施形態を示す使用状態時の斜視図である。
【図２】同上靴用装飾具の斜視図である。
【図３】Ａは同上靴用装飾具の正面図、Ｂは側面図である。
【図４】同上靴用装飾具の他の実施形態を示す正面図である。
【図５】図４の本発明品の使用状態時の要部平面図である。
【図６】同上靴用装飾具の更に他の実施形態を示し、Ａは斜視図、Ｂは正面図である。
【図７】図６の本発明品の使用状態時の要部平面図である。
【符号の説明】
【００１７】
１    靴紐
２    台座部
２ａ  孔
２ｂ  孔と孔の位置
３    装飾部
３ａ  基部
３ｂ  宝石
４    靴
５    仕切り
【図１】
2006181060.tif 000003
【図２】
2006181060.tif 000004
【図３】
2006181060.tif 000005
【図４】
2006181060.tif 000006
【図５】
2006181060.tif 000007
【図６】
2006181060.tif 000008
【図７】
2006181060.tif 000009